(57)【要約】【課題】遊技機の受皿から落下した遊技媒体が遊技媒体受入具から外部へ跳び出すのを阻止することができる遊技媒体案内ユニットを提供すること。【解決手段】パチンコ機２の下皿２ａから落下するパチンコ玉Ｐを受け入れる遊技媒体受入具１０と、遊技媒体受入具１０で受け入れたパチンコ玉Ｐを玉計数ユニット（４）に案内する案内路部２０とを備えるパチンコ玉案内ユニット１において、遊技媒体受入具１０は、開口（Ｏ３）を介して受け入れたパチンコ玉Ｐを貯留可能な貯留空間Ｓを形成する本体部材１１と、その本体部材１１に可動に支持され、コイルばね２ａの付勢力によりパチンコ機２の前面２Ａと当接して当該パチンコ機２の前面２Ａとの間隙を塞ぐ可動当接部材１２とを備える。【選択図】図３
2011062228.tif 000002
【特許請求の範囲】
【請求項１】
遊技機の受皿から落下する遊技媒体を受け入れる遊技媒体受入具と、前記遊技媒体受入具で受け入れた遊技媒体を計数機に案内する案内路部とを備える遊技媒体案内ユニットであって、
前記遊技媒体受入具は、
開口を介して受け入れた遊技媒体を貯留可能な貯留空間を形成する本体部材と、
前記本体部材に可動に支持され、付勢手段の付勢力により前記遊技機の前面と当接して当該遊技機の前面と前記本体部材との間隙を塞ぐ可動当接部材と、
を備えることを特徴とする遊技媒体案内ユニット。
【請求項２】
前記可動当接部材は、前記遊技機の前面に対向する前記本体部材の後方側壁の上端近傍でスライド自在又は回動自在に支持され、前記付勢手段の付勢力により前記遊技機の前面に当接する弾性変形部材を有することを特徴とする請求項１に記載の遊技媒体案内ユニット。
【請求項３】
前記弾性変形部材は、前記貯留空間に向けた下り傾斜が上面に形成されることを特徴とする請求項２に記載の遊技媒体案内ユニット。
【請求項４】
前記本体部材を前記案内路部に対してスライド自在とするスライド機構を備えることを特徴とする請求項１〜３のいずれか一項に記載の遊技媒体案内ユニット。
【請求項５】
前記本体部材の上端開口を覆い、当該本体部材に対して上下動する可動壁部材を更に備えており、
前記可動壁部材の天井壁には、前記受皿から落下する遊技媒体を受け入れる開口が形成され、前記本体部材の底面と前記可動壁部材の下端の間に第２の付勢手段が介設されており、前記第２の付勢手段の付勢力によって前記受皿の下面と前記可動壁部材が当接することを特徴とする請求項１〜４のいずれか一項に記載の遊技媒体案内ユニット。
【請求項６】
前記天井壁は、複数の切れ目を有する変形部材を有し、前記切れ目に沿って前記変形部材の一部が切り取られることにより開口が形成されることを特徴とする請求項５に記載の遊技媒体案内ユニット。
【請求項７】
遊技媒体受入具を支持する膳板の設置面と前記本体部材の下面との間に設置され、前記本体部材を前記設置面に固定する固定部材を更に備え、
前記固定部材及び前記本体部材は、いずれか一方に複数の凸部を有し、他方に複数の凹部を有し、前記凸部と前記凹部とが係合することにより、高さ調節可能に形成されたことを特徴とする請求項１〜６のいずれか一項に記載の遊技媒体案内ユニット。
【請求項８】
前記案内路部は、前記計数機側の端部の開口を開閉自在にする開閉部を備えることを特徴とする請求項１〜７のいずれか一項に記載の遊技媒体案内ユニット。
【請求項９】
前記本体部材の上端開口の周縁の一部から当該上端開口の内側に向けて張り出す張出板部材を更に備えることを特徴とする請求項１〜４のいずれか一項に記載の遊技媒体案内ユニット。
【発明の詳細な説明】
【技術分野】
【０００１】
本発明は、遊技機の受皿から落下する遊技媒体を受け入れる遊技媒体受入具と、その遊技媒体受入具で受け入れた遊技媒体を計数機に案内する案内路部とを備える遊技媒体案内ユニットに関する。
【背景技術】
【０００２】
従来、一対のパチンコ機及び玉貸機毎に対応付けて設置され、パチンコ機の前面下部の下皿（受皿）から落下するパチンコ玉を玉貸機の下端側に収納されている玉計数機に案内するパチンコ玉案内ユニット（例えば、特許文献１参照）が知られている。
【先行技術文献】
【特許文献】
【０００３】
【特許文献１】特開平１０−２４９０４７号公報（図１）
【発明の概要】
【発明が解決しようとする課題】
【０００４】
しかしながら、特許文献１のパチンコ玉案内ユニットにおいては、下皿から落下したパチンコ玉が、当該パチンコ玉を受け入れる玉受皿内に形成されるパチンコ玉の貯留空間内で他のパチンコ玉と衝突したり、貯留空間を形成する底板や側板などと衝突したりするなどによって跳ね返って玉受皿の外部に跳び出してしまう虞があった。
【０００５】
具体的には、玉受皿からパチンコ玉が跳び出した場合には、パチンコ玉案内ユニットが設置される膳板の設置面上や床面にパチンコ玉が落下する。このとき、遊技者にとっては、前記設置面上や床面で転動するパチンコ玉を手で拾い集めるなどの手間が掛かるものとなっていた。
【０００６】
また、この種のパチンコ玉案内ユニットの玉受皿においては、前記膳板の設置面に玉受皿が固定されており、且つ、パチンコ機の前面と玉受皿の後面との間に間隙が空いてしまうことがあり、前記のように、玉受皿の後面側からパチンコ玉が跳び出してしまうと、前記間隙にパチンコ玉が落下してその間隙から出てこないことが多々あった。そして、その間隙は、遊技者などの人の手が入らない程度の間隙であることから、遊技者がその間隙に手を入れて落下したパチンコ玉を拾い集めることができないなどの問題点があった。
【０００７】
そこで、本発明は、前記した問題に鑑みてなされたものであり、遊技機（パチンコ機など）の受皿（下皿など）から落下した遊技媒体（パチンコ玉など）が遊技媒体受入具から外部へ跳び出して当該遊技機の前面と当該遊技媒体受入具の間隙に入り込むのを阻止するとともに、外部へ跳び出した遊技媒体を遊技媒体受入具の内部に戻すことができる遊技媒体案内ユニットを提供することを目的とする。
【課題を解決するための手段】
【０００８】
本発明は、上記課題を解決したものであり、
遊技機の受皿から落下する遊技媒体を受け入れる遊技媒体受入具と、前記遊技媒体受入具で受け入れた遊技媒体を計数機に案内する案内路部とを備える遊技媒体案内ユニットであって、前記遊技媒体受入具は、開口を介して受け入れた遊技媒体を貯留可能な貯留空間を形成する本体部材と、前記本体部材に可動に支持され、付勢手段の付勢力により前記遊技機の前面と当接して当該遊技機の前面と前記本体部材との間隙を塞ぐ可動当接部材と、を備えることを特徴とする遊技媒体案内ユニットである。
【発明の効果】
【０００９】
本発明によれば、遊技機（パチンコ機など）の受皿（下皿など）から落下した遊技媒体（パチンコ玉など）が遊技媒体受入具から外部へ跳び出して当該遊技機の前面と当該遊技媒体受入具の間隙に入り込むのを阻止するとともに、外部へ跳び出した遊技媒体を遊技媒体受入具の内部に戻すことができる遊技媒体案内ユニットを提供することができる。
【図面の簡単な説明】
【００１０】
【図１】本実施形態のパチンコ玉案内ユニットの設置態様を示す外観斜視図である。
【図２】パチンコ玉案内ユニットの構成を示す斜視図である。
【図３】可動当接部材の構成を示す斜視図及び側面図である。
【図４】可動壁部材の構成を示す斜視図である。
【図５】可動壁部材を本体部材に実装した様子を示す斜視図である。
【図６】図５のＸ−Ｘ断面を示す断面図である。
【図７】固定部材及び本体部材の構成を示す図である。
【図８】案内路部及び玉計数ユニットの構成を示す図である。
【図９】パチンコ玉案内ユニットの前面の構成を示す前面図である。
【図１０】図３の可動当接部材の変形例を示す斜視図及び側面図である。
【図１１】パチンコ玉案内ユニットの変形例を示す斜視図及び側面図である。
【図１２】パチンコ玉案内ユニットの他の変形例を示す上面図及び前面図である。
【図１３】パチンコ玉案内ユニットの他の変形例を示す上面図である。
【図１４】パチンコ玉案内ユニットの他の変形例を示す上面図である。
【図１５】遊技媒体受入具の本体部材の変形例を示す斜視図である。
【図１６】遊技媒体受入具の変形例を示す斜視図である。
【発明を実施するための形態】
【００１１】
以下、本発明の実施形態について添付図面を参照して説明する。
【００１２】
なお、本発明は、パチンコ店やゲームセンターなどの遊技店舗に設置されて遊技結果に応じて遊技媒体を外部の受皿に払い出す遊技機毎に設置される遊技媒体案内ユニットに適用されるものであるが、以下の実施形態では、パチンコ店に設置される弾球遊技機（パチンコ機）毎に設置されるパチンコ玉案内ユニットに適用した場合について説明する。
【００１３】
図１は、本実施形態のパチンコ玉案内ユニット１の設置態様を示す外観斜視図である。
【００１４】
同図に示すように、このパチンコ玉案内ユニット１は、一対のパチンコ機（遊技機）２及び玉貸機３毎に対応付けて設置され、パチンコ機２の前面２Ａ下部の下皿（受皿）２ａから落下するパチンコ玉Ｐ（遊技媒体）を玉貸機３の下端側に収納されている玉計数ユニット４に案内するための器具である。
【００１５】
ここで、前記下皿２ａから落下するパチンコ玉Ｐとしては、遊技者による大当たりゲームによって払い出されて下皿２ａに一時貯留される多数のパチンコ玉Ｐなどであって、遊技者の排出レバー２ｂのスライド操作によってシャッタ２ｃが開くことで開放された落下口２ｄから落下する多数のパチンコ玉Ｐなどである。
【００１６】
玉計数ユニット４は、通過するパチンコ玉Ｐをそれぞれ検知して計数する透過型フォトセンサなどの計数センサ（計数機）を備えており、この計数センサにて計数を終えたパチンコ玉Ｐは、玉計数ユニット４の背面の排出口（不図示）からパチンコ島の内部に排出されて回収される。
【００１７】
なお、以下の説明では、図１の矢印で定義した前後左右を用いて説明する。
【００１８】
図２は、パチンコ玉案内ユニット１の構成を示す斜視図であり、前方右斜め上から俯瞰視した斜視図を示している。
【００１９】
同図に示すように、このパチンコ玉案内ユニット１は、下皿２ａから落下するパチンコ玉Ｐを受け入れて一時貯留する遊技媒体受入具１０と、この遊技媒体受入具１０で受け入れたパチンコ玉Ｐを玉計数ユニット４に案内する案内路部２０とを主体に構成される。
【００２０】
遊技媒体受入具１０は、本体部材１１と、その本体部材１１に実装される可動当接部材１２、可動壁部材１３、固定部材１４を主体に構成される。
【００２１】
ここで、本体部材１１（図３〜図６も参照する）は、底板部１１Ａ及び前後左右の側板部１１Ｂ〜１１Ｅを主体に構成され、遊技媒体受入具１０のベース部分となる上端開口Ｏ１が形成された箱体状の固定部材である。
【００２２】
そして、本体部材１１は、内部に、前後左右の内側の側壁部１１１Ｂ〜１１１Ｅと底板部材１１１Ｆとが形成されており、それらにより、下皿２ａから落下したパチンコ玉Ｐを受け入れ、一時貯留可能な貯留空間Ｓが形成されている。
【００２３】
また、貯留空間Ｓに受け入れたパチンコ玉Ｐを案内路部２０へ排出するための排出口Ｏ２ａ、Ｏ２ｂが、それぞれ側板部１１Ｄ、内側の側壁部１１１Ｄに形成されている。
【００２４】
可動当接部材１２は、図３に示すように、後記付勢手段（例えば、コイルばね）１２ａの付勢力によりパチンコ機２の前面２Ａに変形当接して当該パチンコ機２の前面２Ａと遊技媒体受入具１０との間隙を塞いで下皿２ａから貯留空間Ｓに落下したパチンコ玉Ｐが遊技媒体受入具１０の後方側から外部へ跳び出すのを阻止する部材である。より具体的には、可動当接部材１２は、貯留空間Ｓに落下したパチンコ玉Ｐが遊技媒体受入具１０から外部へ跳び出してパチンコ機２の前面２Ａと遊技媒体受入具１０との間隙に入り込むのを阻止するとともに、パチンコ機２の前面２Ａ側に跳ね返ったパチンコ玉Ｐを貯留空間Ｓに戻すための部材である。
【００２５】
可動壁部材１３は、図４及び図５に示すように、本体部材１１に第２の付勢手段（コイルばね）１３１ａ〜１３１ｄを介して支持され、その第２の付勢手段１３１ａ〜１３１ｄの付勢力により本体部材１１から迫り出している。また、可動壁部材１３は、第２の付勢手段１３１ａ〜１３１ｄにより下皿２ａの下面側に押し当てられた状態で当該下皿２ａとの間隙を塞いで下皿２ａから落下したパチンコ玉Ｐが遊技媒体受入具１０の外部へ跳び出すのを阻止する部材である。
【００２６】
固定部材１４は、本体部材１１を膳板（支持部材）Ｔの設置面Ｔ１（図１参照）に固定するとともに、本体部材１１の高さを変更する部材である。
【００２７】
図３は、可動当接部材１２の構成を示す斜視図及び側面図である。ここで、図３（ａ）が、図２の可動壁部材１３の図示を省略した場合のパチンコ玉案内ユニット１を前方右斜め上から俯瞰視した斜視図であり、図３（ｂ）が、図３（ａ）のパチンコ玉案内ユニット１を右方から見た側面図、及び、その側面図における可動当接部材１２の拡大側面図である。
【００２８】
符号Ａの拡大図に示されるように、可動当接部材１２は、本体部材１１の内側の側壁部１１１Ｃの一部と、その側壁部１１１Ｃの後方側の面から垂設された支持底板部１１Ｆと、その支持底板部１１Ｆの他端側に接続され且つ側壁部１１１Ｃと平行に設けられた外側後方の側板部１１Ｃの一部とで形成された空間内に設置される。なお、支持底板部１１Ｆは本体部材１１の突出部分１１０内に形成されている。
【００２９】
具体的には、可動当接部材１２は、側壁部１１１Ｃの後方側の面において一端が支持される付勢手段（コイルばね）１２ａと、その付勢手段１２ａの他端を支持するとともに、支持底板部１１Ｆ上でスライド自在に支持されるスライド部材１２ｂと、そのスライド部材１２ｂで支持されてパチンコ機２の前面２Ａに変形当接されるゴムなどの弾性材で形成される弾性変形部材１２ｃとを備える。
【００３０】
なお、付勢手段１２ａは、スライド部材１２ｂ（側壁部１１１Ｃ）の長手方向に所定間隔を置いて複数個設けられる。
【００３１】
また、弾性変形部材１２ｃは、貯留空間Ｓ内に向けた下り斜面を有する上面１２１が形成されており、これにより、上面１２１に跳ね乗ったパチンコ玉Ｐを自重により転動させて貯留空間Ｓ内に案内することができる。
【００３２】
即ち、この可動当接部材１２によれば、設置位置を設置治具などにより決定してパチンコ玉案内ユニット１を膳板Ｔの設置面Ｔ１上に固定した場合に、パチンコ機２の前面２Ａに弾性変形部材１２ｃが変形当接して当該前面２Ａと本体部材１１の後方側との間隙を塞ぐことができる。これにより、下皿２ａから貯留空間Ｓに落下したパチンコ玉Ｐが遊技媒体受入具１０の後方側から外部へ跳び出すのを阻止できるので、従来のように、遊技媒体受入具の後方側とパチンコ機の前面との僅かな間隙に落下したパチンコ玉を拾い集めることができないなどの不都合を解消することができる。
【００３３】
図４は、可動壁部材１３の単体構成を示す斜視図であり、図５は、可動壁部材１３を本体部材１１に実装した構成を示し、この場合、図２の遊技媒体受入具１０において可動壁部材１３のみを実線及び点線で示し、その他の構成要素（本体部材１１、可動当接部材１２及び固定部材１４）は仮想線で示した斜視図であり、図６は、図５のＸ−Ｘ断面を示す断面図である。
【００３４】
図４に示されるように、この可動壁部材１３は、前及び左右の側壁部１３Ａ〜１３Ｃと、それら各側壁部１３Ａ〜１３Ｃの上端に接続される天井壁１３Ｄとを主体に構成され、後方側及び下方側が開放された中空状の部材である。
【００３５】
また、図５及び図６に示されるように、この可動壁部材１３は、本体部材１１の内側の側壁部１１１Ｂ、１１１Ｄ及び１１１Ｅと、本体部材１１の外側の側板部１１Ｂ、１１Ｄ及び１１Ｅとの間にできる空間に部分的に収容され、本体部材１１の上端開口Ｏ１（図３参照）を覆い、当該本体部材１１に対して上下動する部材である。
【００３６】
なお、天井壁１３Ｄには、下皿２ａから落下するパチンコ玉Ｐを受け入れる開口Ｏ３が形成されている。また、可動壁部材１３の下端側に形成されたばね支持板１３Ｅと本体部材１１の底板部１１Ａとの間には、第２の付勢手段（コイルばね）１３１ａ〜１３１ｄが介設されている。
【００３７】
即ち、この可動壁部材１３は、第２の付勢手段１３１ａ〜１３１ｄの付勢力により本体部材１１に対して上下動する。
【００３８】
また、天井壁１３Ｄには、複数の切れ目を有するゴムなどの弾性材で形成された変形部材１３２を有し、その切れ目の一部に沿って変形部材１３２の一部が切り取られることにより開口Ｏ３が形成されるようになっている。即ち、この変形部材１３２によれば、下皿２ａの落下口２ｄのサイズ及び位置に応じて開口Ｏ３のサイズ及び位置を適切に変更することが可能である。
【００３９】
なお、変形部材１３２の切れ目の形状としては、升目状や斜線状などの種々様々な形状を形成することが可能であるが、図４及び図５の例では、升目状の切れ目が形成された変形部材１３２を例に示し、また、略中央箇所の３×３の升目部分が切り取られて開口Ｏ３が形成されている様子を示している。
【００４０】
即ち、この可動壁部材１３によれば、設置位置を設置治具などにより決定してパチンコ玉案内ユニット１を膳板Ｔの設置面Ｔ１上に固定する場合における変形部材１３２の開口Ｏ３をパチンコ機２の下皿２ａの落下口２ｄのサイズ及び位置に応じて形成して、第２の付勢手段１３１ａ〜１３１ｄの付勢力により下皿２ａの下面側に押し当てられた状態で当該下皿２ａとの間隙を塞いで下皿２ａから落下したパチンコ玉Ｐが貯留空間Ｓから外部へ跳び出すのを阻止することができる。これにより、下皿２ａから貯留空間Ｓに落下したパチンコ玉Ｐが遊技媒体受入具１０の前側、左右側から外部へ跳び出すのを阻止できるので、遊技者にとっては、遊技媒体受入具１０の外部に落下したパチンコ玉Ｐを手で拾い集めるなどの煩わしい手間を省くことができる。
【００４１】
図７は、固定部材１４及び本体部材１１の構成を示す図であり、図７（ａ）及び（ｂ）が、固定部材１４に本体部材１１を連結する前の状態を示す後面図及び右方側面図であり、図７（ｃ）が、固定部材１４に本体部材１１を連結した後の状態を示す右方側面図である。
【００４２】
同図に示されるように、この固定部材１４では、左右の側面１４Ａ、１４Ｂのそれぞれ後方側上端に一定間隔を置いた複数段（図の例では、３段）の長方体状の凸部１４ａが形成されている。
【００４３】
そして、本体部材１１は、固定部材１４の上端側を嵌合する凹部１１Ｇが下面側に形成されており、この凹部１１Ｇを形成する左右の側面１１１Ｇ、１１１Ｈのそれぞれに凸部１４ａと嵌合される一定間隔を置いた複数段（図の例では、５段）の長方体状の凹部１１ａが形成されている。
【００４４】
なお、この固定部材１４は、膳板Ｔの設置面Ｔ１上における設置位置を設置治具などにより決定し、その設置位置に固定部材１４を両面粘着シートなどにより固定する。これにより、膳板Ｔに穴を開けるなどの追加工を施す必要がなく、パチンコ機２の設置の際や機種の入替えの際の作業性を向上させることができるとともに、膳板Ｔに傷を付けることがない。
【００４５】
そして、前記のようにして位置決めして膳板Ｔの設置面Ｔ１上に固定された固定部材１４に対してパチンコ玉案内ユニット１の遊技媒体受入具１０を取り付ける場合、本体部材１１の凹部１１Ｇに固定部材１４が収容され、且つ、本体部材１１の凹部１１ａと固定部材１４の凸部１４ａとの位置が合うように、本体部材１１を固定部材１４の上方に配置し、そして、本体部材１１を固定部材１４に上方から嵌め込んで、凹部１１ａと凸部１４ａの係合位置を調節する。
【００４６】
なお、本体部材１１及び固定部材１４は、熱可塑性樹脂などの材料で形成することにより、本体部材１１の凹部１１ａが形成された箇所と固定部材１４の凸部１４ａを若干撓ませることができ、それにより、凹部１１ａと凸部１４ａの係合位置を変更して遊技媒体受入具１０の高さを変更することが可能である。
【００４７】
即ち、このような本体部材１１及び固定部材１４によれば、設置面Ｔ１と台取付面Ｔ２の段差Ｈがパチンコ島の製造業者別に統一されていない状況においても、本体部材１１の凹部１１ａ及び固定部材１４の凸部１４ａの嵌合箇所を調節して本体部材１１の最下面の位置が台取付面Ｔ２の位置までくるように本体部材１１の高さを調節する（図７（ｃ）参照）ことができるので、パチンコ玉案内ユニット１（特に、玉計数ユニット４と連結される部分）を安定して設置することができる。即ち、本体部材１１の高さ調節ができることで、下皿２ａと可動壁部材１３との間隙をより適切に塞ぐことができる。
【００４８】
次に、図２、図８及び図９を参照して案内路部２０及び玉計数ユニット４について説明する。
【００４９】
図８は、案内路部２０及び玉計数ユニット４の構成を示す図であり、図８（ａ）及び（ｂ）が、案内路部２０及び玉計数ユニット４の構成を示す斜視図であり、図８（ｃ）が、案内路部２０の下流端部の断面図である。また、図９は、パチンコ玉案内ユニット１の前面図である。
【００５０】
図示されるように、玉計数ユニット４の前面には、四角形をなす開口４１が設けられ、その内部中央に立設した玉分離板４２が、奥行き方向に延伸している。この玉分離板４２は、案内路部２０に形成された玉分離板２１ａに対応して設けられるもので、玉計数ユニット４の内部に２列の玉通路４３を形成している。なお、この玉通路４３も、奥に向かって下り傾斜となっている。
【００５１】
また、案内路部２０の下流端部（玉計数機側の端部）２０Ａの一側面には、玉計数ユニット４の開口４１に対向するように四角形をなす開口２１ｂが設けられ、下流端部２０Ａにおいて流下方向を９０度方向転換した玉流路２１ｃが開口２１ｂに臨んでいる。開口２１ｂの両側には、開口２１ｂの後方に向かって板状の嵌合片２１ｄが突設されており、この嵌合片２１ｄを玉計数ユニット４の開口４１の中に差し込むことによって、案内路部２０の長手方向の移動を拘束する。
【００５２】
嵌合片２１ｄの上部には、丸シャフトからなる係合軸２１ｅが水平に架け渡されている。また、嵌合片２１ｄの下縁には、上方に向かって切り欠きされた係合凹部２１ｆが配設されている。一方、玉計数ユニット４の開口４１の内側の下部には、丸シャフトからなる係合軸４４が水平に架け渡されている。また、開口４１の上部には、金属板の先端を上方に折り曲げて形成した係合凹部４５が、開口４１に臨んで設けられている。
【００５３】
案内路部２０と玉計数ユニット４との係合作業は、次の手順で行う。まず、下流端部２０Ａを持ち上げながら、玉計数ユニット４の開口４１に嵌合片２１ｄを奥まで嵌挿させる。その後、下流端部２０Ａを押し下げる。これにより、係合軸４４に係合凹部２１ｆが上方から係合すると同時に、係合軸２１ｅが係合凹部４５に上方から嵌り込む。
【００５４】
案内路部２０の開口２１ｂの上方には、長穴２１ｇが水平に開設されている。錠２１ｈに差し込んだ鍵を回しての施錠操作の際には、下流端部２０Ａの内部に格納されていた係止片２１ｉが回動して、長穴２１ｇから突出してくる。突出した係止片２１ｉは、玉計数ユニット４の開口４１の上縁直下に留まるように形成されており、この係止片２１ｉによって、下流端部２０Ａの上方への移動が拘束される。 
【００５５】
案内路部２０と玉計数ユニット４との離脱作業は、前記した係合作業と逆の手順で行えば良い。
【００５６】
また、図８（ｃ）及び図９を参照するように、玉流路２１ｃは、遊技媒体受入具１０から案内路部２０の長手方向に延伸して設けられる。そして、玉流路２１ｃは、例えば、立設させた板状体の上縁を下り傾斜に形成してパチンコ玉Ｐが流下する案内レールとしての役目をもたせた縦板２１１ｃと、その縦板２１１ｃを支持する横板２１２ｃとによって、平面視格子状に形成されたものである。そして、縦板２１１ｃと横板２１２ｃとの間に出現するスリット状の隙間から、パチンコ玉Ｐに付着したゴミなどがふるい落とされる。
【００５７】
このような玉流路２１ｃは、計数効率を上げるために２本設けられ、玉流路２１ｃにおいて玉受皿１１の皿底からさらに下流側に立設した玉分離板２１ａによって、パチンコ玉Ｐが２列に分かれて整列しながら流下する。また、案内路部２０の下流端部２０Ａには、玉流路２１ｃの上方に、高さ規制ピン２１ｊが流下方向と直交する向きに架け渡されて、パチンコ玉Ｐが上下２段に重なり合うことを阻止する。
【００５８】
また、玉流路２１ｃは、案内路部２０の下流端部２０Ａにおいて流下方向右９０度に方向転換し、前記した案内路部２０と玉計数ユニット４の係合によって、玉計数ユニット４の玉通路４３と連通する。また、下流端部２０Ａは、錠２１ｈを備えている。施錠手段は、錠２１ｈに鍵を差し込んで反時計回りに旋回させることにより、下流端部２０Ａに格納されていた係止片２１ｉが、係合相手となる玉計数ユニット４の側に突出するように構成されたものである。
【００５９】
また、本実施形態の案内路部２０では、下流端部２０Ａの開口２１ｂの開閉を行う開閉部２１０を備えている。なお、開閉部２１０は、開口２１ｂの開閉を行う開閉扉２１０ａと、その開閉扉２１０ａを左右にスライド自在に収容する収容部２１０ｂと、開閉扉２１０ａを挿通する挿通孔２１０ｃとから構成されている。なお、この場合、案内路部２０の内部に配置された玉分離板２１ａなどの板部材においては、前記挿通孔２１０ｃから案内路部２０の内部に挿通される開閉扉２１０ａが通る箇所に溝が形成されている。
【００６０】
即ち、この開閉部２１０は、案内路部２０を玉計数ユニット４に連結する場合に開閉扉２１０ａを開状態（図８（ｂ）の状態）にし、他方、案内路部２０を玉計数ユニット４から外す場合に開閉扉２１０ａを閉状態（不図示）にするための開閉部材である。
【００６１】
このような構成により、玉計数ユニット４の点検や交換などのため玉計数ユニット４とパチンコ玉案内ユニット１とを分離する場合に、案内路部２０の開口２１ｂを開閉扉２１０ａで塞ぐことにより、分離したパチンコ玉案内ユニット１内に残っているパチンコ玉Ｐが下流端部２０Ａの開口２１ｂから落下することを防ぐことができる。
【００６２】
また、図２に示すように、本実施形態のパチンコ玉案内ユニット１では、遊技媒体受入具１０が案内路部２０に対してスライド自在とするスライド機構部２２０を備えている。
【００６３】
具体的には、この実施形態の案内路部２０は、玉計数ユニット４に連結される下流端部２０Ａを備える下流側案内路部２０１と、遊技媒体受入具１０に一端が連結される上流側案内路部２０２とから構成されており、玉計数ユニット４に連結固定された下流側案内路部２０１に対して、上流側案内路部２０２がスライド機構部２２０により左右方向にスライド自在となるように係合されている。
【００６４】
このような構成により、パチンコ機２の下皿２ａの落下口２ｄの位置に合わせて遊技媒体受入具１０（及び上流側案内路部２０２）を左右方向にスライドさせることで、落下口２ｄから落下するパチンコ玉Ｐを遊技媒体受入具１０の開口Ｏ３に落下させることができる。
【００６５】
図１０は、図３の可動当接部材１２の変形例を示す斜視図及び側面図である。ここで、図１０（ａ）が、図２の可動壁部材１３の図示を省略し、変形例である可動当接部材１２Ａを実装したパチンコ玉案内ユニット１を前方右斜め上から俯瞰視した斜視図であり、図１０（ｂ）が、図１０（ａ）のパチンコ玉案内ユニット１を右方から見た側面図、及び、その側面図における可動当接部材１２Ａの拡大側面図である。
【００６６】
符号Ｂの拡大図に示されるように、可動当接部材１２Ａは、本体部材１１の内側後方の側壁部１１１Ｃの上端に接続された天板部１１Ｈと、側壁部１１１Ｃと接続された底板部１１Ｉと接続された外側の側板部１１Ｃとの接続部分に設置される。なお、天板部１１Ｈ及び底板部１１Ｉは本体部材１１の突出部分１１０内に形成されている。
【００６７】
具体的には、可動当接部材１２Ａは、前記接続部分に形成された回動軸１２ｄと、その回動軸１２ｄにリング部分が軸装され一端が天板部１１Ｈで係止され、他端が後記弾性変形部材１２ｆに係止される付勢手段（ねじりばね）１２ｅと、回動軸１２ｄを中心にして付勢手段１２ｅにより回動自在に支持されてパチンコ機２の前面２Ａに変形当接されるゴムなどの弾性材で形成される弾性変形部材１２ｆとを備える。
【００６８】
なお、天板部１１Ｈは、貯留空間Ｓ内に向けた下り斜面を有する上面が形成されており、また、弾性変形部材１２ｆは、パチンコ機２に変形当接された場合に、貯留空間Ｓ内に向けた下り斜面を形成するようになっている。これにより、弾性変形部材１２ｆ及び天板部１１Ｈの上面に跳ね乗ったパチンコ玉Ｐを自重により転動させて貯留空間Ｓ内に案内することができる。
【００６９】
即ち、この可動当接部材１２Ａによっても、前記した可動当接部材１２と同様に、パチンコ機２の前面２Ａに変形当接して当該前面２Ａと本体部材１１の後方側との間隙を塞ぐことができるので、下皿２ａから貯留空間Ｓに落下したパチンコ玉Ｐが遊技媒体受入具１０の後方側から外部へ跳び出すのを阻止できる。
【００７０】
図１１は、パチンコ玉案内ユニット１の変形例であるパチンコ玉案内ユニット１Ａの構成を示す斜視図であり、図１１（ａ）が、分離された遊技媒体受入具１００Ａ及び案内路部２００Ａを前方右斜め上から俯瞰視した斜視図であり、図１１（ｂ）が、分離された遊技媒体受入具１００Ａを左方から見た様子を示す側面図である。
【００７１】
同図に示されるように、このパチンコ玉案内ユニット１Ａでは、遊技媒体受入具１００Ａと案内路部２００Ａとを着脱自在に連結固定するための連結手段が形成されている。この例では、連結手段として、案内路部２００Ａの遊技媒体受入具１００Ａ側の端部に形成されたツメ部２０３と、遊技媒体受入具１００Ａの排出口Ｏ２の付近に形成された係合孔部１１ｂを備えている。
【００７２】
また、分離された遊技媒体受入具１００Ａは、パチンコ店などで用意される周知のドル箱に類似した形状に形成されており、排出口Ｏ２ａの開閉を行う開閉部１１２を備えている。なお、開閉部１１２は、排出口Ｏ２ａの開閉を行う開閉扉１１２ａと、その開閉扉１１２ａを左右にスライド自在に収容する収容部１１２ｂとから構成されている。
【００７３】
即ち、この形態によれば、遊技媒体受入具１００Ａと案内路部２００Ａとを分離して、遊技媒体受入具１００Ａの排出口Ｏ２ａを開閉扉１１２ａで塞ぐことにより、分離した遊技媒体受入具１００Ａをドル箱として使用することが可能である。
【００７４】
図１２及び図１３は、パチンコ玉案内ユニット１の他の変形例であるパチンコ玉案内ユニット１Ｂ〜１Ｄの構成を示す斜視図であり、図１２（ａ）、図１３（ａ）及び図１３（ｂ）が、パチンコ玉案内ユニット１Ｂ〜１Ｄをそれぞれ上方から見た様子を示す上面図であり、図１２（ｂ）が、パチンコ玉案内ユニット１Ｂを前方から見た様子を示す前面図である。
【００７５】
図１２に示されるように、パチンコ玉案内ユニット１Ｂの遊技媒体受入具１０Ｂでは、本体部材１１の右方の側板部１１Ｅの上端手前寄りに、遊技中の遊技者の手を置く手置き台１１ｃを備えている。
【００７６】
このような構成により、パチンコ機２のハンドル２ｅを握る遊技者の腕を手置き台１１ｃに置くことができ、これにより、遊技者の遊技中の腕に掛る負担を軽減することが可能となる。
【００７７】
このパチンコ玉案内ユニット１Ｂでは、遊技媒体受入具１０Ｂの本体部材１１の前方の側板部１１Ｂの前面側に、玉計数ユニット４でパチンコ玉Ｐの計数を実行している計数中に点灯又は点滅などによる発光演出を行ったり、又は、玉計数ユニット４で計数したパチンコ玉Ｐの総数に応じた点灯又は点滅などによる発光演出を行うための電球やＬＥＤ（Light Emitting Diode）などの発光手段や、計数値を表示する表示演出を行うためのＬＣＤ(Liquid Crystal Display)などの表示手段などから構成される演出装置１１dを備えている。
【００７８】
また、図１３に示されるように、パチンコ玉案内ユニット１Ｃの遊技媒体受入具１０Ｃでは、本体部材１１の前方の側板部１１Ｂの下端側の前面から出し入れ自在の扇状の小物置き台１１ｅを備え、他方、パチンコ玉案内ユニット１Ｄの遊技媒体受入具１０Ｄでは、前方の側板部１１Ｂの下端側の前面から出し入れ自在の長方形状の小物置き台１１ｆを備えている。
【００７９】
このような構成により、パチンコ機２で遊技者の携帯電話機などの小物を小物置き台１１ｅ及び１１ｆに載置することができるので、パチンコ機２の前方に配置された椅子に着座した遊技者とパチンコ玉案内ユニット１（特に、遊技媒体受入具１０）の間のスペースを有効に利用して遊技者の小物を置くスペースを提供することができ、これにより、遊技者の利便性を向上させることが可能である。
【００８０】
また、図１４（ａ）に示すように、前記したパチンコ玉案内ユニット１においては、ノズル構造２００Ｃなどを利用することにより案内路部２０の下流端部（玉計数ユニット４側の端部）２０Ａ（図８参照）の鍵部分を回動軸としてパチンコ玉案内ユニット１を前後に回動することが可能となっている。
【００８１】
このような構成により、パチンコ機２の前面扉を開ける場合に、パチンコ玉案内ユニット１を前方に回動させることで、パチンコ玉案内ユニット１（特に、遊技媒体受入具１０）が邪魔にならないで済む。
【００８２】
また、図１４（ｂ）に示すように、前記したパチンコ玉案内ユニット１においては、スライド機構１０ａなどを利用することにより遊技媒体受入具１０を案内路部２０に対して前後方向にスライドさせることが可能となっている。
【００８３】
このような構成により、パチンコ機２の前面２Ａの前後方向に位置に応じて遊技媒体受入具１０の前後方向における位置を適切に変更することが可能である。
【００８４】
図１５は、遊技媒体受入具１０の本体部材１１の変形例である本体部材５の構成を示す図であり、図１５（ａ）が、本体部材５の構成を示す斜視図であり、図１５（ｂ）が、本体部材５を上部本体部５１と下部本体部５２に分離した様子を示す斜視図であり、図１５（ｃ）が、上部本体部５１を下部本体部５２の前方に退避させた様子を示す斜視図である。
【００８５】
図１５（ａ）に示されるように、この本体部材５は、中空状に形成された上側の上部本体部５１と、台状に形成された下側の下部本体部５２とに分離可能に構成されている。
【００８６】
そして、図１５（ｂ）に示されるように、上部本体部５１は、左右の側面５１Ａ、５１Ｂからそれぞれ垂直方向に突出した凸部５１ａ、５１ｂと、前の側面５１Ｃの下端側から下方に突出した突出部５１ｃとを備えている。また、下部本体部５２は、左右の側壁５２Ａ、５２Ｂのそれぞれ内側の面に前記凸部５１ａ、５１ｂのそれぞれと係合する溝部５２ａ、５２ｂを備えている。
【００８７】
なお、前記溝部５２ａ、５２ｂは、側壁５２Ａ、５２Ｂの後方端寄りに形成された浅めの縦長状の縦溝部分と、側壁５２Ａ、５２Ｂの前方端寄りに形成された深めの縦長状の縦溝部分と、それら両縦溝部分の間に形成された前後方向の横長状の横溝部分とから構成されている。
【００８８】
即ち、この本体部材５は、通常利用状態、即ち、パチンコ機２で遊技者が遊技を行っている場合の利用状態では、上部本体部５１は、左右の凸部５１ａ、５１ｂが溝部５２ａ、５２ｂの縦溝部分の最下部に支持され、突出部５１ｃが下部本体部５２の上面５２Ｃに支持された図１５（ａ）の状態となる。
【００８９】
そして、図１５（ａ）の状態において、パチンコ機２の前面扉を開ける場合には、凸部５１ａ、５１ｂが後方側の縦長溝の最上部に達するまで上部本体部５１を上方に持ち上げ、続いて、凸部５１ａ、５１ｂが横溝部分を経由して前方側の縦長溝の最上部までくるように上部本体部５１を前方にスライドさせる。続いて、凸部５１ａ、５１ｂが前方側の縦長溝の最下部に達するまで上部本体部５１を下方に下げることにより、図１５（ｃ）に示すように、上部本体部５１を下部本体部５２の前方に退避させる。
【００９０】
このような構成により、本体部材５の設置面Ｔ１から最上端までの高さＨ１を、高さＨ２に変更することができるので、パチンコ機２の前面扉を開けるときに本体部材５が邪魔にならずに済む。
【００９１】
図１６は、遊技媒体受入具１０の変形例を示す斜視図である。
【００９２】
図示のように、この遊技媒体受入具１０Ｅは、前記した遊技媒体受入具１０（図２参照）の可動壁部材１３に替えて、張出板部材１５を備えるとともに、本体部材１１Ｊに貯留部１１ｈが形成されている。
【００９３】
張出板部材１５は、本体部材１１Ｊの上端開口Ｏ４の周縁の一部から当該上端開口Ｏ４の内側に向けて張り出す板部材であるが、図１６の例では、上端開口Ｏ４の前及び左右の周縁から当該上端開口Ｏ４の内側に張り出した３つの張出板部１５Ａ〜１５Ｃによって略コの字状に形成される板部材となっている。
【００９４】
なお、各張出板部１５Ａ〜１５Ｃの各上面側には、外側（後記案内面１１２ｇ、１１３ｇ及び１１４ｇ）に向かって下る傾斜面が形成されている。
【００９５】
また、この遊技媒体受入具１０Ｅでは、本体部材１１Ｊの上端部に、パチンコ玉Ｐを本体部材１１Ｊの前面上部中央まで案内するための案内溝部１１ｇと、その案内溝部１１ｇで案内されてきたパチンコ玉Ｐを複数個貯留可能な貯留部１１ｈとが形成されている。
【００９６】
具体的には、案内溝部１１ｇは、本体部材１１Ｊの上端部の前及び左右の外周縁に沿って立設される溝壁部１１１ｇと、その溝壁部１１１ｇと各張出板部１５Ａ〜１５Ｃの間に形成される前及び左右の案内面１１２ｇ、１１３ｇ及び１１４ｇとから構成される。
【００９７】
そして、各案内面１１２ｇ、１１３ｇ及び１１４ｇには、パチンコ玉Ｐを本体部材１１Ｊの前面上部中央に案内するための傾斜面が形成されている。即ち、左右の案内面１１３ｇ、１１４ｇには、後方から前方へパチンコ玉Ｐを案内するための傾斜面が形成されており、前方の案内面１１２ｇには、左右の案内面１１３ｇ、１１４ｇから案内されてきたパチンコ玉Ｐを本体部材１１Ｊの前面上部中央に案内するための傾斜面が形成されている。
【００９８】
即ち、このような形態によれば、パチンコ機２の下皿２ａ（図１参照）から遊技媒体受入具１０Ｅ内に落下して上方に跳ね返ったパチンコ玉Ｐを張出板部材１５の各張出板部１５Ａ〜１５Ｃの下面で受けて、パチンコ玉Ｐが外部へ跳び出すのを防ぐことができる。
【００９９】
また、仮に、張出板部材１５で外部へ跳び出すのを防ぐことができず、張出板部材１５の上面に乗ったパチンコ玉Ｐがあった場合でも、そのようなパチンコ玉Ｐを案内溝部１１ｇにより貯留部１１ｈ、即ち、遊技者の手元まで案内することで、遊技者が外部に飛び出したパチンコ玉Ｐを容易に回収することができる。
【０１００】
以上、例示的な実施形態に基づいて本発明を説明したが、本発明は前記した実施形態により限定されるものではなく、特許請求の範囲の記載により表される技術的思想の範囲内において種々の変更、改変を行うことが可能である。
【０１０１】
例えば、前記した実施形態では、パチンコ店やゲームセンタなどの遊技店舗に設置され、入賞役の抽選を実行し、抽選結果に応じて遊技媒体を払出す機能を有する弾球遊技機（パチンコ機）に対応付けて設置されるパチンコ玉案内ユニットについて説明したが、これに限らず、遊技結果に応じて遊技媒体（球状の遊技媒体や、球状以外の形状の遊技媒体など）を外部の受皿に払出すことができる遊技機であれば他の遊技機に対応付けて設置される遊技媒体案内ユニットとすることも可能である。
【０１０２】
また、前記した実施形態では、パチンコ玉案内ユニット１がパチンコ玉Ｐを案内する案内先として、玉貸機３の下端側に収納された玉計数ユニット４の場合を例にして説明したが、これに限らず、玉貸機３以外の箱体などのその他の箇所に設置された玉計数ユニット４を案内先とする形態であっても良い。
【０１０３】
また、前記した実施形態では、付勢手段１２ａとして、コイルばねを例にした場合について説明したが、これ以外にも、板ばねなどのその他のばねを適用することも可能である。
【０１０４】
また、前記した実施形態では、可動当接部材１２をパチンコ機２の前面２Ａに変形当接させる付勢力を生じることができる付勢手段１２ａ、及び、可動壁部材１３を下皿２ａに押し当てる付勢力を生じることができる第２の付勢手段１３１ａ〜１３１ｄとして、ばねを例にした場合について説明したが、これに限らず、ゴムなどの弾性体を用いた付勢手段であっても良い。
【０１０５】
また、前記した実施形態では、遊技媒体受入具１０が、本体部材１１に可動当接部材１２、可動壁部材１３、固定部材１４を備える形態について説明したが、これに限らず、可動壁部材１３及び固定部材１４を備えず可動当接部材１２のみを備える形態や、可動当接部材１２と、可動壁部材１３又は固定部材１４のいずれか一つを備える形態のパチンコ玉案内ユニットとすることも可能である。
【０１０６】
また、前記した実施形態では、遊技媒体受入具１０の高さを変更する構成として、本体部材１１が凹部１１ａを有し、固定部材１４が凸部１４ａを有する形態について説明したが、これ以外にも、例えば、本体部材１１が凸部を有し、固定部材１４が凹部を有するような形態としても良い。また、前記した実施形態では、固定部材１４に、複数段（３段）の凸部１４ａが形成されている場合を示したが、１段の凸部が形成されている形態としても良い。更に、凸部及び凹部の形状は長方体状に限定されず、その他の形状であっても良い。
【０１０７】
また、前記した実施形態では、案内路部２０の下流側案内路部２０１に対して、遊技媒体受入具１０及び上流側案内路部２０２がスライド機構部２２０により左右方向にスライド自在となるように係合される形態について説明したが、これ以外にも、例えば、案内路部２０に対して、遊技媒体受入具１０が所定のスライド機構部により左右にスライド自在となるよう係合される形態として良い。
【０１０８】
また、前記した図４に示した実施形態では、前及び左右の側壁部１３Ａ〜１３Ｃと、天井壁１３Ｄとを主体に構成され、後方側及び下方側が開放された中空状の可動壁部材１３の場合について説明したが、これ以外にも、後方側にも側壁部を設けて、前後及び左右の側壁部と、天井壁とを主体に構成され、下方側だけが開放された中空状の可動壁部材とすることも可能である。
【０１０９】
また、前記した図１１に示した実施形態では、遊技媒体受入具１００Ａと案内路部２００Ａとを分離した場合に、排出口Ｏ２ａを開閉部１１２で塞ぐことにより、分離した遊技媒体受入具１００Ａをドル箱として使用する場合について説明したが、これ以外にも、例えば、開閉部１１２を設けずに、図４及び図５などに示した可動壁部材１３及び第２の付勢手段１３１ａ〜１３１ｄを設け、この可動壁部材１３を利用して排出口Ｏ２ａを塞ぐような形態としても良い。
【０１１０】
具体的には、遊技媒体受入具１００Ａと案内路部２００Ａとを分離して、開閉部１１２の替わりに設けた可動壁部材１３を第２の付勢手段１３１ａ〜１３１ｄの付勢力に抗して下方に押し下げた場合に、当該可動壁部材１３の左側の側壁部１３Ｂの後方上端に形成されている切欠側壁部分１３ｂ（図４参照）によって排出口Ｏ２ａを塞ぐことができる形態とする。なお、この形態においては、可動壁部材１３を下方に押し下げた場合に当該可動壁部材１３を本体部材１１（図１１参照）に固定するための固定部材（例えば、プッシュラッチなど）を備える。また、この形態においては、遊技媒体受入具１００Ａをドル箱として使用することを考慮して、可動壁部材１３の天井壁１３Ｄ又は変形部材１３２（図４参照）を着脱自在に構成することが好ましい。
【０１１１】
その他、前記した実施形態における各部材の構成、形状、材質などは単なる例として記載したものであり、本発明はこれらにより限定されない。
【符号の説明】
【０１１２】
１  パチンコ玉案内ユニット（遊技媒体案内ユニット）
１０  遊技媒体受入具
２０  案内路部
１１  本体部材
１２  可動当接部材
１３  可動壁部材
１４  固定部材
２  パチンコ機（遊技機）
３  玉貸機
４  玉計数ユニット（計数機）
Ｔ  膳板
Ｐ  パチンコ玉（遊技媒体）
【図１】
2011062228.tif 000003
【図２】
2011062228.tif 000004
【図３】
2011062228.tif 000005
【図４】
2011062228.tif 000006
【図５】
2011062228.tif 000007
【図６】
2011062228.tif 000008
【図７】
2011062228.tif 000009
【図８】
2011062228.tif 000010
【図９】
2011062228.tif 000011
【図１０】
2011062228.tif 000012
【図１１】
2011062228.tif 000013
【図１２】
2011062228.tif 000014
【図１３】
2011062228.tif 000015
【図１４】
2011062228.tif 000016
【図１５】
2011062228.tif 000017
【図１６】
2011062228.tif 000018